(57)【要約】  本発明は、ステアリングホイール（２）と、操舵トルクを確実に調整する少なくとも１つの閉ループ制御則を用いるコントローラ（４）によって制御されるアシストモータ（３）とを備えたパワーステアリング装置（１）に関し、コントローラ（４）は、実操舵トルクに対応する実荷重パラメータ（Ｔ２_actual）を測定または評価し、次に実荷重パラメータの時間ドリフト値を計算し、次に時間ドリフト値にドリフトゲイン（Ｋｄ）を乗じることによってドリフト要素（Ｃｄ）を計算する少なくとも１つのフィードバックアームを含み、コントローラ（４）は、実荷重パラメータ（Ｔ２_actual）と車両の縦速度（Ｖ_vehic）の一部、特にゼロの車両縦速度から所定の縦速度閾値（Ｖ_thresh）まで広がる「駐車領域」（Ｄ１）と呼ばれる第１の領域と、縦速度閾値（Ｖ_thresh）を越えて広がる「走行領域」（Ｄ２）と呼ばれる第２の領域とに係るドリフトゲイン（Ｋｄ）を調整するために、三次元マッピング（１５）を使用する。
2020535056.tif 000002
【特許請求の範囲】
【請求項１】
運転者が操舵トルク（Ｔ２）と呼ばれる操作力を加えることができるステアリングホイール（２）と、前記操舵トルクを確実に調整する少なくとも１つの閉ループ制御則を用いるコントローラ（４）によって制御されるアシストモータ（３）とを備えたパワーステアリング装置（１）であって、
前記コントローラ（４）は、「微分ブランチ」と呼ばれる少なくとも１つのフィードバックブランチ（１３）を含み、前記フィードバックブランチ（１３）は、実操舵トルクに対応するか、またはその値及びその変動が前記実操舵トルクの値及び変動に関連する実操舵トルクの像すなわち大きさに対応する実荷重パラメータ（Ｔ２_actual）を測定または評価し、次に前記実荷重パラメータの時間微分値を計算し、次に前記時間微分値に微分ゲイン（Ｋｄ）を乗じて、「微分成分」（Ｃｄ）と呼ばれる成分を計算し、前記装置（１）は、前記コントローラ（４）が、一方では前記実荷重パラメータ（Ｔ２_actual）の関数として前記微分ゲイン（Ｋｄ）を調整し、他方では車両の縦速度（Ｖ_vehic）の関数として前記微分ゲイン（Ｋｄ）を調整するために、三次元マッピング（１５）を用いる
ことを特徴とするパワーステアリング装置。
【請求項２】
請求項１において、
前記三次元マッピング（１５）は、
車両縦速度がゼロから、ゼロではない所定の縦速度閾値（Ｖ_thresh）まで広がる「駐車領域」（Ｄ１）と呼ばれる第１の領域と、前記縦速度閾値（Ｖ_thresh）を越えて広がる「走行領域」（Ｄ２）と呼ばれる第２の領域とを含み、前記走行領域（Ｄ２）では、前記実荷重パラメータ（Ｔ２_actual）が増加すると前記微分ゲイン（Ｋｄ）が減少し、前記駐車領域（Ｄ１）では、前記実荷重パラメータ（Ｔ２_actual）が増加すると前記微分ゲイン（Ｋｄ）が増加する
ことを特徴とするパワーステアリング装置。
【請求項３】
請求項２において、
前記駐車領域（Ｄ１）と前記走行領域（Ｄ２）との間の境界であることを示す前記縦速度閾値（Ｖ_thresh）は、５km/h以下、好ましくは３km/h以下、さらに好ましくは２km/h以下である
ことを特徴とするパワーステアリング装置。
【請求項４】
請求項２または３において、
前記三次元マッピング（１５）は、好ましくは前記駐車領域（Ｄ１）と前記走行領域（Ｄ２）との間の境界に位置する少なくとも１つの反転ポイント（Ｐ０）を含み、そこから縦速度（Ｖ_vehic）の増加と実荷重パラメータ（Ｔ２_actual）の減少を前記三次元マッピング（１５）が示す場合には、前記微分ゲイン（Ｋｄ）が増加し、実荷重パラメータ（Ｔ２_actual）が増加するが縦速度（Ｖ_vehic）の常時増加を前記三次元マッピング（１５）が示す場合には、前記微分ゲイン（Ｋｄ）が減少する
ことを特徴とするパワーステアリング装置。
【請求項５】
請求項２から４の何れか１つにおいて、
前記走行領域（Ｄ２）が、
前記実荷重パラメータ（Ｔ２_actual）の値がゼロから第１の所定の荷重の閾値（Ｔ_thresh_low）まで広がる「直進近傍部分領域」（Ｄ２_1）と呼ばれる第１の部分領域であって、前記微分ゲイン（Ｋｄ）が、「上限閾値」（Ｋｄ_high）と呼ばれる第１のゲイン閾値よりも大きく保たれる第１の部分領域と、
前記第１の荷重の閾値（Ｔ_thresh_low）よりも大きい第２の所定の荷重の閾値（Ｔ_thresh_high）からそれを超えて広がる「旋回部分領域」（Ｄ２_2）と呼ばれる第２の部分領域であって、前記微分ゲイン（Ｋｄ）が、前記上限閾値（Ｋｄ_high）よりも完全に小さい「下限閾値」（Ｋｄ_low）と呼ばれる第２のゲイン閾値よりも小さく保たれる第２の部分領域と、
前記第１の荷重の閾値（Ｔ_thresh_low）から前記第２の荷重の閾値（Ｔ_thresh_high）まで広がる「移行部分領域」（Ｄ２_3）と呼ばれる中間の第３の部分領域であって、所定の縦速度（Ｖ_vehic）において前記実荷重パラメータ（Ｔ２_actual）が増加すると、前記微分ゲイン（Ｋｄ）が前記上限閾値（Ｋｄ_high）から前記下限閾値（Ｋｄ_low）へ減少する第３の部分領域と、を含む
ことを特徴とするパワーステアリング装置。
【請求項６】
請求項５において、
前記下限閾値（Ｋｄ_low）は、前記縦速度（Ｖ_vehic）がその縦速度の閾値（Ｖ_thresh）の方向へ、該縦速度の閾値（Ｖ_thresh）よりも大きい特定の境界前閾値（Ｖ２）よりも下がるまで低下したときに大きくなり、その値が、例えば６０km/hと３０km/hの間に含まれる
ことを特徴とするパワーステアリング装置。
【請求項７】
請求項１から６の何れか１つにおいて、
前記３次元マッピング（１５）は、結果として生じる前記微分ゲイン（Ｋｄ）が、前記操舵トルク（Ｔ２_actual）の変動を引き起こす運転者の操作のトリガーと、その操作に起因する車両のヨーレートの実際の変化との間に、少なくとも５０ms、好ましくは少なくとも１００ms、多くとも３００ms、好ましくは多くとも２００msの間の位相の遅延を生じさせるように構成される
ことを特徴とするパワーステアリング装置。
【発明の詳細な説明】
【技術分野】
【０００１】
本発明は、パワーステアリング装置に関する。
【０００２】
本発明は、特に、運転者が「操舵トルク」と呼ばれる操作力を加えることができるステアリングホイールを備え、この操舵トルクを調整量として用いることで、コントローラがステアリング機構のサーボ制御を行うパワーステアリング装置に関する。
【背景技術】
【０００３】
このようなコントローラは、ますます高効率になり、車両の動作の状況に特に適した操舵トルクを得ることが可能になっている。
【０００４】
そのために、前記コントローラには、特に、次第に多くの複雑な電子機能及びソフトウェア機能が組み込まれる。
【０００５】
しかしながら、このようにより複雑になると、コントローラを構成するのがますます困難になり、場合によっては、これらのコントローラによって運転者にかなり人工的な運転感覚が与えられ、その感覚が不快であったり直感的でなかったりするおそれもある。
【発明の概要】
【発明が解決しようとする課題】
【０００６】
したがって、本発明の目的は、前述の欠点を克服し、パワーステアリングシステムの安定性、応答性、及び正確さを確保しつつ、一方では運転者に優れた運転快適性を与え、他方では前記パワーステアリングシステムの挙動についての感覚も前記ステアリング機構と道路の相互関係についての感覚も、最も自然で最も有用な情報になり得る、新しいタイプのコントローラを提案することである。
【課題を解決するための手段】
【０００７】
本発明の目的は、運転者が操舵トルクと呼ばれる操作力を加えることができるステアリングホイールと、前記操舵トルクを確実に調整する少なくとも１つの閉ループ制御則を用いるコントローラによって制御されるアシストモータとを備えたパワーステアリング装置によって達成される。前記コントローラは、「微分ブランチ」と呼ばれる少なくとも１つのフィードバックブランチを含み、前記フィードバックブランチは、実操舵トルクに対応するか、またはその値及び変動が前記実操舵トルクの値及び変動にそれぞれ関連する実操舵トルクの像すなわち大きさに対応する実荷重パラメータを測定または評価し、次に前記実荷重パラメータの時間微分値を計算し、次に前記時間微分値に微分ゲインを乗じて、「微分成分」と呼ばれる成分を計算する。この装置は、コントローラが、一方では実荷重パラメータの関数として微分ゲインを調整し、他方では車両の縦速度の関数として微分ゲインを調整するために、三次元マッピングを用いることを特徴とする。
【０００８】
有利なことに、微分ゲインのマッピングに、複数の入力パラメータ、ここでは少なくとも２つの入力パラメータ、すなわち実荷重パラメータと縦速度のパラメータを使用することにより、車両の動きの状況を正確かつ完全に表す複数の入力パラメータに応じて微分ゲインの自動調整を最適化できる。
【０００９】
このように、微分ゲインは、検討される動きの状況に最も適するパワーステアリングシステムの挙動と感覚に有利に働くように、車両のそれぞれ異なる動きの状況に対して正確に適応させることができる。
【００１０】
したがって、本発明により、マッピングを構成するのに用いられる異なった入力パラメータによって正しく表される車両のそれぞれの動きの状況に、検討される状況における種々の安定性、快適性、正確性、応答性、及び感覚に関する質的な要件の間の最善の組み合わせに対応する微分ゲインを関連付けることが可能になる。
【００１１】
本発明の他の目的、特徴及び効果は、以下の説明、さらには単なる例示であって限定的ではない添付の図を参照することにより、より明らかになるであろう。
【図面の簡単な説明】
【００１２】
【図１】図１は、本発明に係るパワーステアリング装置を模式的に示す図である。
【図２】図２は、本発明において微分ゲインの調整を可能にするマッピングを示す。
【発明を実施するための形態】
【００１３】
本発明はパワーステアリング装置１に関する。
【００１４】
前記装置は、それ自体は知られているように、そして図１に示すように、運転者が「操舵トルク」Ｔ２と呼ばれる操作力を加えることができるステアリングホイール２を有する。
【００１５】
また、前記装置１は、コントローラ４によって制御されるアシストモータ３を有する。
【００１６】
アシストモータ３は、例えばブラシレスタイプの電動モータであるのが好ましい。
【００１７】
このコントローラ４は、操舵トルクＴ２を確実に調整する少なくとも１つの閉ループ制御則を用いる。
【００１８】
コントローラ４は、実際には、検討時間における車両の動作の状況を表しうる異なるパラメータから、その検討される状況において運転者が本来ステアリングホイール２に感じるべきトルクに対応する操舵トルク設定値Ｔ２_setを決定する。
【００１９】
次に、コントローラ４は、前記トルク設定値Ｔ２_setと実操舵トルクＴ２_actualとの間の偏差（差分）ΔＴ２＝Ｔ２_set−Ｔ２_actualを検討し、そこから適切なアシスト則を用いて、実操舵トルクＴ２_actualが操舵トルク設定値Ｔ２_setに収斂するように、前記コントローラがアシストモータ３に与えるアシスト設定値を導き出す。
【００２０】
言うまでもなく、パワーステアリング装置１は、操向ホイール、好ましくは少なくとも２つの操向ホイール５，６の方向を変えることができる、それ自体は知られたステアリング機構を有していてよい。
【００２１】
そのために、ステアリング機構は、ステアリングケーシング内で平行移動するようガイドされるラック７を有することができる。ラックの端部は、ホイール５，６を支持するスタブアクスルのヨー方向を制御するステアリングロッド８，９に接続されている。
【００２２】
ステアリングホイール２は、駆動ピニオン１１を支持するステアリングコラム１０によって、ラック７に噛み合うようにするのが好ましい。
【００２３】
アシストモータ３は、ステアリング機構を、より好ましくはラック７を、ギア減速型またはボールねじ型のトランスミッション部材１２を介してステアリングコラム１０に噛み合わせるか、またはラック７に直接噛み合わせることにより駆動できる。
【００２４】
コントローラ４は、「微分成分」Ｃｄと呼ばれる成分を計算する「微分ブランチ」と呼ばれる少なくとも１つのフィードバックブランチ１３を含み、
フィードバックブランチ１３は、
実操舵トルクＴ２_actualに対応するか、またはその値及びその変動が前記実操舵トルクＴ２_actualの値及び変動にそれぞれ関連する実操舵トルクＴ２_actualの像すなわち大きさに対応する実荷重パラメータを測定または評価し、
次に前記実荷重パラメータの時間微分値ｄ（Ｔ２_actual）／ｄｔを計算し、
次に前記時間微分値に微分ゲインＫｄを乗じることにより、
Ｃｄ＝Ｋｄ×ｄ（Ｔ２_actual）／ｄｔとする。
【００２５】
実荷重パラメータは、実操舵トルクＴ２_actualであることが好ましい。このような選択をすると、特に、運転者がステアリングホイール２から即座に、そして直接的に感じるものに実際に対応する操舵トルクのパラメータＴ２を直接扱うことによって、装置１の設定と調整を容易に行える。
【００２６】
実操舵トルクＴ２_actualは、例えば、好ましくはステアリングコラム１０に設けられるトルクセンサ１４で測定してもよいし、あるいは適切な推定アルゴリズムによって他のパラメータから推定してもよい。
【００２７】
説明の便宜上、実荷重パラメータと実操舵トルクＴ２_actualは、どのような場合でも以下のように同じにすることができる。
【００２８】
しかし、その代わりに、微分ブランチ１３においては、実荷重パラメータとして、実操舵トルクＴ２_actualの実際の像を表すもの、例えばよく知られているアシスト則によって実操舵トルクＴ２_actualに相関するものの大きさを用いて、（検討時間の）前記実荷重パラメータの値が、前記実操舵トルクＴ２_actualの値を表し、所定の時間間隔にわたる前記実荷重パラメータの値の変動が、同じ時間間隔での前記実操舵トルクＴ２_actualの値の変動を表すようにすることが可能である。
【００２９】
したがって、例えば、ラック７がロッド８，９に加える引張荷重／圧縮荷重に対応するラック荷重、またはアシストモータ３によって発生するトルク、または実操舵トルクＴ２_actualに応じたアシスト則によって決定されるアシスト設定値を、実荷重パラメータＴ２_actualとして用いることができる。
【００３０】
時間微分は、ここでは、実荷重パラメータＴ２_actualの値の変動ｄ（Ｔ２_actual）の商に等しい第１微分に対応し、この変動は、前記検討される時間間隔ｄｔで所定の時間間隔ｄｔにわたって監視される。
【００３１】
ここで用いられる前記の時間間隔ｄｔは、好ましくは、微分ブランチ１３の更新期間（繰り返しの期間）に該当し、より一般的には、閉ループの制御則の更新期間に該当する。
【００３２】
本発明によれば、コントローラ４は、一方では実荷重パラメータＴ２_actual（マッピングの第１入力）の関数として微分ゲインＫｄを調整し、他方では車両の縦速度Ｖ_vehic（マッピングの第２入力）の関数として微分ゲインＫｄを調整するために、三次元マッピング１５を用いる。
【００３３】
本発明者らは、微分成分Ｃｄ、したがって微分ゲインＫｄが、特に以下のような様々な現象に影響を及ぼすことを実際に見出し、それらの現象には、
閉ループの制御則によって実行される操舵トルクのサーボ制御の安定性、特に、外乱ないし「ステアリングホイールリップル」に対する安定性、すなわち特に運転者がステアリングホイール２から手を離したときにステアリングホイールに生じるリップル（一般的には、２０Ｈｚから４０Ｈｚの間の周波数）の傾向に対する安定性、
運転者の操舵に対応するステアリング機構の運転快適性と機械的挙動感であって、特に摩擦の感覚、粘りの感覚、ステアリング機構の慣性の感覚、リフトオフ（つまり、運転者がステアリング機構を動作させるために必要な力のしきい値）の感覚を含み、さらには、運転者の操舵によって制御される微分トルクＴ２の変動と、それに対応する車両のヨーレートの実際且つかなりの変化に繋がる車両の反応との間の運転精度及び「位相変化」（つまり、起こりうる位相遅れ）の感覚をも含む、運転者の操作に対応するステアリング機構の操作快適性と機械的挙動感、
車両の外部環境、及びステアリング機構（及び特にホイール５、６）と車両の環境との間の相互作用、特にタイヤと道路との間の相互作用、及び特にステアリングホイールが回転したときに中心に向かうリターントルクの感覚、さらには路面によってホイールに生じる振動を通じた道路の凹凸の感覚に関する、ステアリング機構及びステアリングホイール２を介する知覚、
が含まれる。
【００３４】
車両の動きの状況に応じて、その動きの状況を少なくとも２つの入力パラメータ（ここでは、少なくとも実荷重パラメータＴ２_actualと車両の速度Ｖ_vehic）によって表すように、微分ゲインＫｄをケースバイケースで調整すると、監視される動きの状況との関連において最も重要でしかも最も有用であると判断される挙動になるように、コントローラ４の動作を最適化することが可能になって効果的である。
【００３５】
三次元マッピング１５は、図２に示すように、車両の縦速度がゼロ（Ｖ_vehic＝０）から、ゼロではない所定の縦速度閾値Ｖ_threshまで広がる「駐車領域」Ｄ１と呼ばれる第１の領域Ｄ１と、前記縦速度閾値Ｖ_threshを越えて広がる「走行領域」Ｄ２と呼ばれる第２の領域Ｄ２とを含むことが望ましい。
【００３６】
走行領域Ｄ２では、実荷重パラメータＴ２_actualが増加すると微分ゲインＫｄが減少し、駐車領域Ｄ１では、実荷重パラメータＴ２_actualが増加すると微分ゲインＫｄが増加する。
【００３７】
本明細書では、特に記載しない限り、「増加」という用語は絶対値の増加（すなわち、ゼロから外れて行くこと）を表し、「減少」という用語は絶対値の減少（すなわち、ゼロへ接近すること）を表す。
【００３８】
このマッピング１５では、領域Ｄ１，Ｄ２を分けることにより、異なるタイプの動きの状況を認識して管理することができ、且つ検討されるそれぞれの領域に応じて微分ゲインＫｄを別々に調整することができる点で効果的である。
【００３９】
さらに詳しくは、微分ゲインＫｄは、所定の速度Ｖ_vehicにおいて閾値Ｖ_threshより大きいと、その縦速度Ｖ_vehicに関係なく、好ましくは実荷重パラメータＴ２_actualの単調減少関数に従って減少し、より優先的には実操舵トルクＴ２_actualの単調減少関数に従って減少する。
【００４０】
この減少関数は、走行領域Ｄ２に属する異なった動きの状況の間での滑らかな変化に有利に働くように、連続的である（つまり、少なくともＣ０の連続する類関数に対応する）ことが好ましい。
【００４１】
同様に、駐車領域Ｄ１では、微分ゲインＫｄは、所定の速度Ｖ_vehicにおいては、検討される縦速度Ｖ_vehic（閾値Ｖ_threshより小さい）に関係なく、実荷重パラメータＴ２_actualの単調連続関数に従って増加することが好ましい。
【００４２】
実操舵トルクＴ２_actualで微分ゲインＫｄを増加させるこのような増加関数は、駐車状況において、したがってホイール５，６を操作するために大きな操舵トルクが必要になり得る状況において、及び／または特に車両の始動時に地面の性質（乾燥した、湿った、凍った地面など）に応じたホイール５，６の種々の粘着状況に対処し得る状況において、パワーステアリングシステム１の安定性を高めることができる点で有利である。
【００４３】
また、このような関数により、振動現象が発生した場合にアシストを強くして、その結果としてステアリングホイールのリップルを制限しやすくなる。
【００４４】
言うまでもなく、縦速度閾値Ｖ_threshは、実際には、車両が静止しているかまたは駐車の動作中でゆっくりと動いている一つの状況と、車両が走行している他の状況との間の境界に対応するように選択される。
【００４５】
駐車領域Ｄ１と走行領域Ｄ２との間の境界であることを示す縦速度閾値（Ｖ_thresh）は、（絶対値が）５km/h以下であることが好ましく、３km/h以下であることがより好ましく、２km/h以下であることがさらに好ましい。
【００４６】
ここで、図２においてＶ_thresh＝２km/hを選択したとする。
【００４７】
パワーステアリングシステム１の不安定な動作、またはぎくしゃくした動作を避けるために、このマッピングでは、駐車領域Ｄ１と走行領域Ｄ２との間での移行に一定の連続性が得られ、それにより、縦速度閾値Ｖ_threshで表される境界を通過するときの滑らかな動作が保証されることが好ましい。
【００４８】
このため、三次元マッピング１５は、グラフに示すように、好ましくは駐車領域Ｄ１と走行領域Ｄ２の間の境界に位置する（すなわち、その縦速度の座標が速度閾値Ｖ_threshと等しい）「反転ポイント」Ｐ０と呼ばれるポイントを含み、そこから縦速度Ｖ_vehicの絶対値の増加と実荷重パラメータＴ２_actualの絶対値の減少をマッピング１５が示す場合には、微分ゲインＫｄの絶対値が増加し（図２のマッピング上のベクトルＦ１）、実荷重パラメータＴ２_actualの絶対値が増加するが縦速度Ｖ＿vehicの絶対値の常時増加をマッピング１５が示す場合には、微分ゲインＫｄの絶対値が減少する（図２のマッピング上のベクトルＦ２）。
【００４９】
反転ポイントＰ０は、グラフ上で、速度閾値Ｖ_threshと等しい縦速度Ｖ_vehicに対応し、したがって、走行領域Ｄ２における実操舵トルクＴ２_actualによって決まる微分ゲインＫｄを処理する一方の減少関数と、駐車領域Ｄ１における同じ実操舵トルクＴ２_actualによってきまる微分ゲインＫｄを処理する他方の増加関数の交点での、Ｖ_vehic＝Ｖ_threshで定められる投影面内の標準投影に対応する。
【００５０】
逆に、反転ポイントＰ０に対して駐車領域Ｄ１側に位置する他の「傾斜面」では、この反転ポイントＰ０から縦速度Ｖ_vehicが減少するとともに実操舵トルクＴ２_actualが減少すると微分ゲインＫｄが減少することになり、速度Ｖ_vehicが減少するとともに実操舵トルクＴ２_actualが増加すると微分ゲインＫｄが増加することになる。
【００５１】
図２に示すように、走行領域Ｄ２は複数の部分領域を含むことが好ましく、その部分領域は、
実荷重パラメータの値がゼロ（Ｔ２_actual＝０）から第１の所定の荷重の閾値（Ｔ２_actual＝Ｔ_thresh_low）まで広がる「直進近傍部分領域」と呼ばれる第１の部分領域Ｄ２_1であって、微分ゲインＫｄが、「上限閾値」Ｋｄ_highと呼ばれる第１ゲイン閾値よりも絶対値が大きく保たれる第１の部分領域Ｄ２_1と、
第１の荷重の閾値Ｔ_thresh_lowよりも（絶対値が）大きい第２の所定の荷重の閾値Ｔ_thresh_highからそれを超えて広がる「旋回部分領域」と呼ばれる第２の部分領域Ｄ２_2であって、微分ゲインＫｄが、上限閾値Ｋｄ_highよりも絶対値が完全に小さい「下限閾値」Ｋｄ_lowと呼ばれる第２のゲイン閾値よりも小さく保たれる第２の部分領域Ｄ２_2と、
第１の荷重の閾値Ｔ_thresh_lowから第２の荷重の閾値Ｔ_thresh_highまで広がる、「移行部分領域」と呼ばれる中間部の第３の部分領域Ｄ２_3であって、所定の縦速度Ｖ_vehicにおいて実荷重パラメータＴ２_actualが増加すると、微分ゲインＫｄの絶対値が上限閾値Ｋｄ_highから下限閾値Ｋｄ_lowへ減少する第３の部分領域Ｄ２_3と、
を含む。
【００５２】
走行領域Ｄ２の部分領域Ｄ２_1，Ｄ２_2，Ｄ２_3は、その速さが６０km/h以上、さらには９０km/h以上になる縦速度Ｖ_vehicの範囲にまで広がることが好ましい。
【００５３】
好ましくは、前記部分領域Ｄ２_1，Ｄ２_2，Ｄ２_3は、少なくとも、６０km/hの（またはそれより小さい）低速の（絶対）縦速度Ｖ_vehicleと、例えば最大車速に対応し得る、及び／または例えば少なくとも１５０km/h、または少なくとも１８０km/hにまでなり得る高速の縦速度との間に広げることができる。
【００５４】
走行領域Ｄ２における部分領域Ｄ２_1，Ｄ２_2，Ｄ２_3の全体形状を表す一般的な原則は、連続性の理由から、駐車領域Ｄ１との境界を表す速度閾値Ｖ_threshまで、縦速度の広範囲にわたって守られるのが好ましい。このことは、図２に示すように、縦速度Ｖ_vehicが、予め定められた境界前の閾値（例えば、Ｋｄ_lowの場合にはＶ２）よりも（絶対値が）減少して、速度閾値Ｖ_threshに近づくときに、微分ゲインＫｄの下限閾値Ｋｄ_low及び／または上限閾値Ｋｄ_highが、それぞれ増加及び減少して調整される場合であっても同様である。
【００５５】
直進近傍部分領域Ｄ２_1、ないし「中心の」部分領域は、車両がまっすぐな線またはほぼまっすぐな線上を走行し、ステアリングホイール２、より一般的にはステアリング機構が中心位置にある状況に対応する。
【００５６】
したがって、運転者から加えられる操舵トルクＴ２、すなわち実荷重パラメータＴ２_actualは比較的小さくなり、実質的にはゼロにもなる。
【００５７】
さらに、十分に大きい微分ゲインＫｄ、この場合は上限閾値Ｋｄ_highよりも大きい微分ゲインＫｄが、中心位置からの操作の快適性を高めるために選択され、特に、一方ではステアリング機構を左または右へ動かすために運転者が実行することが必要なリフトオフ力を制限し、及び／または他方では操作中の抵抗に起因する不快感を低減させるために選択される。したがって、その位置はマッピング１５の上端へ向かう。
【００５８】
しかし、微分ゲインＫｄもまた、運転者がステアリングホイール２をちょうど操作し始めた状態でヨーレートを変化させることにより、位相の急変を生じさせないように、すなわち、車両が方向転換に急に反応しすぎないように、十分に緩やかな値（十分に小さい値）が選択される。
【００５９】
旋回部分領域Ｄ２_2、すなわち「中心から外れた」部分領域は、前記車両を湾曲軌道に乗せるために、ステアリングホイールを実際にゼロでない相当に大きな操舵角にして車両が走行する旋回状況に対応する。
【００６０】
このような状況では、「路面感覚」、言い換えるとホイール５，６のタイヤと道路との間の路面の凹凸の感覚及び相互作用の感覚、特に粘着の感覚が高められる。
【００６１】
したがって、この目的のために、十分に小さい微分ゲインＫｄ、この場合には下限閾値Ｋｄ_low以下の微分ゲインＫｄ、より一般的には直進近傍で用いられる微分ゲインよりも小さい微分ゲインＫｄが、操舵トルクの急速な変化（その周波数は一般に２Ｈｚから２０Ｈｚ、さらに３０Ｈｚの間に含まれる）を過度に補正し、結果的にこれらの変化によりもたらされる情報を過度に減じて（除去して）路面感覚を低下させる過大なアシストが付与されるのを避けるために選択される。
【００６２】
しかしながら、微分ゲインＫｄは、タイヤの「スティックスリップ」現象に過敏になるのを避けるために十分に大きく保たれ、それによってタイヤは、操作の開始時に突然にリフトオフするよりも地面に強く食いつく傾向になる。
【００６３】
このスティックスリップ現象は、縦速度Ｖ＿Ｖ_vehicが小さいときに生じやすく、微分ゲインＫｄの下限閾値Ｋｄ_lowは、縦速度Ｖ_vehicが低下したときに、特に縦速度Ｖ_vehicがその縦速度の閾値Ｖ_threshの方向へ（したがって、駐車領域Ｄ１に近づくときに）縦速度の閾値Ｖ_threshよりも大きい特定の境界前閾値Ｖ２よりも下がるまで低下したときに大きくなることが好ましい。ここで、この境界前閾値Ｖ２は、図２に示すように、例えば６０km/hと３０km/hの間に含まれる。
【００６４】
一般に、旋回部分領域Ｄ２_2＿２は、マッピング１５内で凹んだ形状になり得る。
【００６５】
次に、移行の部分領域Ｄ２_3は、直進状況から旋回状況への変化、またはその逆の変化を許容する移行状況に対応する。
【００６６】
この移行部分領域Ｄ２_3において、微分ゲインＫｄは、下限閾値Ｋｄ_lowと上限閾値Ｋｄ_highの間で徐々に調整される。
【００６７】
運転者がステアリングホイール２を中心に戻すようにステアリングホイール２を放すか、または運転者がステアリングホイール２を中心に戻すようにステアリングホイール２を操作する「カウンターステアリング」の状況では、戻るときのアシストトルクの作用を助けるように微分ゲインｋｄが選択される。
【００６８】
このようにして、微分ゲインＫｄを特に比較的高めにすることができる。実際、ステアリングホイールを中心位置にするために、運転者がステアリングホイール２を放すか、またはその初期の旋回操作に対して逆の操作をすると、操舵トルクＴ２の、したがって実荷重パラメータＴ２_actualの、急速でほとんど瞬間的な低下が生じる。
【００６９】
したがって、時間微分ｄＴ２_actual／ｄｔが特に大きくなる。
【００７０】
また、微分ゲインＫｄが大きくなると微分成分Ｃｄの算出値の減少が大きくなり、そのときまでは運転者が望む旋回方向の操舵角を維持するか、または強める傾向にあった従来のアシスト力が、より急速に低下する。
【００７１】
この初期アシストが作用した方向とは逆の方向へ生じるべきステアリングホイールの中心への戻り、そしてこの初期アシストが継続した場合は妨げられるステアリングホイールの中心への戻りが、強められた微分ゲインｋｄを適用することで促進される。
【００７２】
逆に、ステアリングを操作している状況では、運転者は旋回するために操舵角を強める。
【００７３】
特に、運転者は素早い操舵が可能になり、操舵トルクＴ２，Ｔ２_actualの「段階入力」をほぼ実行できる。
【００７４】
実際、このような「段階入力」の操作は、１５０deg/sと３００deg/sの間の閾値以上のステアリングホイールの回転速度によって特徴付けることができ、特に障害物を避けるための緊急の操作に対応できる。
【００７５】
このような状況では、ステアリングホイール２の操作と車両のヨーレートの実際の変化完了との間に十分な反応性、したがって適度な位相遅れが生じる微分ゲインＫｄを選択することが適しており、逆に運転者を驚かせるような速すぎる反応は生じない。
【００７６】
このような旋回操作状況、特に「段階入力」の状況では、ステアリングアシストによって思いがけず走路から外れるのを阻止するため、微分ゲインＫｄを車両の縦速度Ｖ＿Ｖ_vehicに応じて、高速時の反応性が低速時よりも低下するように調整するのが好ましい。
【００７７】
特に、直進近傍の状況（部分領域Ｄ２_1）及び／または「段階入力」の状況（部分領域Ｄ２_3に対応するステアリングホイールの回転）に適切に対処するため、３次元マッピング１５は、結果として生じる微分ゲインＫｄが、操舵トルクＴ２，Ｔ２_actualの変動を引き起こす運転者の操作のトリガーと、その操作に起因する車両のヨーレートの実際の変化との間に、少なくとも５０ms、好ましくは少なくとも１００ms、多くとも３００ms、好ましくは多くとも２００msの間の位相の遅延を生じさせるように構成されることが好ましい。
【００７８】
１００msより小さく（一般的な「スポーツ」設定）、さらに５０msより小さいと、パワーステアリング装置１は、予想されるよりも速い反応で運転者５を驚かせるおそれがある。
【００７９】
２００ms（一般的な「快適」設定）より大きく、さらに３００msより大きいと、特に障害物を回避するときまたは連続して旋回するときに、車両の反応と運転者によるステアリングホイール２の動きとが良好に同期すべき状況で、パワーステアリングシステム１が「ソフト」つまり応答性と正確性に欠けていると認識して不利になることがある。
【００８０】
微分ゲインのマッピング１５は、例えば、試験の実施及び／または数値的なシミュレーションによって確立できる。
【００８１】
言うまでもなく、本発明は前述した一つの例に限られない。当業者であれば、特に一つまたは他の特徴を単独で用いたり、または自由に組み合わせたりすることができる。
【図１】
2020535056.tif 000003
【図２】
2020535056.tif 000004
【国際調査報告】
2020535056.tif 000005
2020535056.tif 000006
2020535056.tif 000007
2020535056.tif 000008